(57)【要約】【課題】簡単な構成でありながら遮光物体の影に相当する形状をディスプレイ上に適切に再現表示することができるディスプレイ装置を提供する。【解決手段】受光面を持つ受光センサと、該受光面近傍に設けられた発光ダイオードと、受光センサからの出力に応じて発光ダイオードを発光駆動する駆動回路とから成るユニットを複数備え、前記ユニットの受光面と発光ダイオードとを２次元平面上に多数配列するとともに、それぞれのユニットにおいて受光センサに入射する外部光が遮光されている状態で発光ダイオードが点灯するよう構成したディスプレイ装置において、受光センサは、赤外波長領域に感度を有するものであって、受光センサに入射する外部光が赤外波長領域である場合に、発光ダイオードの点灯制御を行う。【選択図】      図１
2005010713.tif 000002
【特許請求の範囲】
【請求項１】
受光面を持つ受光センサと、該受光面近傍に設けられた発光ダイオードと、受光センサからの出力に応じて発光ダイオードを発光駆動する駆動回路とから成るユニットを複数備え、前記ユニットの受光面と発光ダイオードとを２次元平面上に多数配列するとともに、それぞれのユニットにおいて受光センサに入射する外部光が遮光されている状態で発光ダイオードが点灯するよう構成したディスプレイ装置において、
受光センサは、赤外波長領域に感度を有するものであって、受光センサに入射する外部光が赤外波長領域である場合に、発光ダイオードの点灯制御を行うことを特徴とするディスプレイ装置。
【請求項２】
さらに、受光センサからの出力と発光ダイオードの点灯及び／または消灯との間のタイミングとを滑らかにするための円滑化手段を備えたことを特徴とする請求項１記載のディスプレイ装置。
【発明の詳細な説明】
【０００１】
【発明の属する技術分野】
本発明は、ディスプレイ装置に関し、特に、外部光に対して物体が形成する影に相当する部分を点灯させることにより視覚的な効果を奏するディスプレイ装置及びそのディスプレイ装置を備えたテーブルに関する。
【０００２】
【従来の技術】
外部光に対して物体が形成する影に相当する部分を点灯させることにより視覚的な効果を奏するディスプレイ装置としては、本願発明の発明者が先に提案した実用新案文献１記載のディスプレイ装置が知られている。
【０００３】
この装置は、平面壁面に設けられた装置であって、受光面を持つ受光センサと、該受光面近傍に設けられた発光ダイオードと、受光センサからの出力に応じて発光ダイオードを発光駆動する駆動回路と、から成るユニットを複数備えており、各ユニットの受光面と発光ダイオードとを２次元平面上に多数配列することによりディスプレイ装置が構成されている。そして、外部に設けられた光源からの光が、受光センサに入射しないで遮光されている状態で発光ダイオードが点灯するよう構成されている。
【０００４】
このような構成によって、光源とディスプレイ装置との間に介在する遮光物体の影に相当する形状をディスプレイ上に再現表示することができる。特に、遮光物体の動作やその材質に関係なく、即座に影に相当する形状が表示されるという視覚的効果を奏するので、広告宣伝などに効果的であった。
【実用新案文献１】
実開平４−７７１９０号公報
【０００５】
【発明が解決しようとする課題】
しかしながら、実用新案文献１に記載されたディスプレイ装置では、受光センサが可視光域での入射光に反応するよう構成されているために、照明光を低減させた店舗などに設置することができない、という問題があった。
【０００６】
また、実用新案文献１に記載されたディスプレイ装置では、受光センサの出力信号がダイレクトに発光ダイオードに影響されるよう接続されているため、遮光物体の動作に対して表示の変化が敏感すぎるという問題があった。表示変化が敏感すぎると、観察者にとっては煩雑すぎて視覚的な効果を減退させてしまう。
【０００７】
本発明はこのような状況に鑑みてなされたものであって、その目的は、簡単な構成でありながら、遮光物体の影に相当する形状をディスプレイ上に適切に再現表示することができるディスプレイ装置を提供することである。
【０００８】
【課題を解決するための手段】
上記目的を達成するために、本発明に係るディスプレイ装置は、受光面を持つ受光センサと、該受光面近傍に設けられた発光ダイオードと、受光センサからの出力に応じて発光ダイオードを発光駆動する駆動回路とから成るユニットを複数備え、前記ユニットの受光面と発光ダイオードとを２次元平面上に多数配列するとともに、それぞれのユニットにおいて受光センサに入射する外部光が遮光されている状態で発光ダイオードが点灯するよう構成したディスプレイ装置において、
受光センサは、赤外波長領域に感度を有するものであって、受光センサに入射する外部光が赤外波長領域である場合に、発光ダイオードの点灯制御を行うことを特徴とする。
【０００９】
【発明の実施の形態】
以下、本発明を実施したディスプレイ装置を、図面を参照しつつ説明する。図１は、本発明の一実施形態のディスプレイ装置１を表す図である。実施形態のディスプレイ装置１では、２次元平面に縦方向及び横方向に多数の受光センサとその近傍に配置された発光ダイオードからなるユニット２が配列されている。受光センサとしては、フォトトランジスタ等の赤外領域に感度を有する光電変換センサを使用することが可能である。また発光ダイオードとしては、ＲＧＢ等の所望カラーのものや周知の白色ＬＥＤ等を用いることができる。
【００１０】
図２は、実施形態のディスプレイ装置を構成するフォトトランジスタ１１とその近傍に配置された単色ＬＥＤ１２からなるユニットの駆動回路の一例を表す。図２の駆動回路において、トランジスタ１５のベース電圧はフォトトランジスタ１１と可変抵抗１４で分圧して接続されている。また、トランジスタ１５のエミッタ側には、所定の時定数を持つコンデンサ１３が接続されており、これとは別に抵抗を介してＬＥＤ１２が接続されている。このうち、コンデンサ１３が円滑化手段として動作することとなる。
【００１１】
以上の構成において、外光供給源として、赤外領域波長の外光を放射するランプ等を設置した環境において、本実施形態のディスプレイ装置を配置する。この状況において、フォトトランジスタ１１へ入射する赤外波長領域の外光が弱くなると、フォトトランジスタ１１のベース電圧が上がり、これと併せてトランジスタ１５のベース電圧も上がるので、トランジスタ１５がスイッチＯＮとなり、ＬＥＤ１２が点灯される。一方、フォトトランジスタ１１へ入射する赤外波長領域の外光が強くなると、トランジスタ１６のベース電圧が下がるので、トランジスタ１５がスイッチがＯＦＦとなり、ＬＥＤ１２が消灯される。このときトランジスタ１５がＯＦＦとなった瞬間には、コンデンサ１３に充電されていた電荷が放電されるので、コンデンサ１３の時定数に応じてトランジスタ１５のベース電圧を一定時間だけ上げ、トランジスタ１５のスイッチを一定時間ＯＮさせるので、ＬＥＤ１２へ減衰電流が流れる。したがって、適切な時定数のコンデンサ１３を選択することにより、ＬＥＤ１２の消灯に余韻を残すことが可能となるのである。このように余韻を残すように消灯することができれば、観察者に対して煩雑な印象を与えることなく、ディスプレイ装置上で遮光物体の影の形状に対応する部分を発光させることができる。なお、ＬＥＤ１２が点灯するレベル調整は、可変抵抗１４を変化させることにより可能である。また、ＬＥＤ１２の発光強度は抵抗１６を適宜選択することにより調整可能である。
【００１２】
上記実施形態では、円滑化手段として回路中に所定の時定数を有するコンデンサを用いた例を示したが、本発明はこれに限定されるものではない。例えば、フォトトランジスタからの出力と発光ダイオードの駆動を完全に回路的に独立させた上で、フォトトランジスタの出力信号を配列変数としてメモリにストアし、対応する発光ダイオードを配列変数に基づいてソフトウェア制御するといった方法によっても本発明の構成を達成することが可能である。
【００１３】
このように、構成された実施形態のディスプレイ装置では、受光センサが赤外波長領域に感度を有するので、演出上、照明光が低減された店舗内やエントランス等であったとしても、赤外領域波長を放射する光源と受光センサとの間に介在物体が存在すると、その物体の影に相当する部分表示することができる。特に、本実施形態のディスプレイ装置を、店舗やテーマパーク等の演出上照明光が低減された建物の内部やエントランスに配置すると、視覚的に楽しいのみならず、ディスプレイ装置を見る観察者に驚きを与えることができ、広告宣伝効果の高いディスプレイ装置を提供することが可能となる。
【００１４】
なお、上記赤外領域波長としては、以下の範囲が望ましい。
０．７５μｍ＜λ＜１２μｍ
上記範囲にある赤外域波長を用いることにより、通常購入可能な赤外線ランプを外部光源に使用することができる。
また、赤外域波長は、さらに以下の範囲であることが望ましい。
０．７５μｍ＜λ＜２μｍ
上記範囲にすることにより、指向性が生じ、生じる光のエッジが鮮明になるからである。また、光源、受光センサともに安価なものが使用できる。
【００１５】
図３は、第２実施形態のディスプレイ装置を表す図である。図３において、ディスプレイ装置を天板として具備するテーブルを表す図である。図中の天板部２１にディスプレイ装置が配置されている。このように、テーブルの天板にディプレイ装置を配置することにより、広告宣伝効果の高いディスプレイ装置を提供することが可能となる。
【発明の効果】
以上、説明したように、本発明によれば、簡単な構成でありながら遮光物体の影に相当する形状をディスプレイ上に適切に再現表示することができるディスプレイ装置を提供することができた。
【図面の簡単な説明】
【図１】本発明を実施した実施形態のディスプレイ装置を示す斜視図
【図２】ユニットの駆動回路を示す回路図
【図３】本発明を実施した第２実施形態のディスプレイ装置を示す図
【符号の説明】
２、２２：ディスプレイ装置
１１：フォトトランジスタ
１２：発光ダイオード（ＬＥＤ）
１３：コンデンサ
【図１】
2005010713.tif 000003
【図２】
2005010713.tif 000004
【図３】
2005010713.tif 000005